【手続補正書】
【提出日】平成29年2月22日(2017.2.22)
【手続補正１】
【補正対象書類名】特許請求の範囲
【補正対象項目名】全文
【補正方法】変更
【補正の内容】
【特許請求の範囲】
【請求項１】
転写ニップに入る媒体が引き起こす印刷システム内の速度遷移を低減するシステムであって、
長手方向軸から等距離にあるドラム表面を有して、前記長手方向軸のまわりに回転する画像ドラムと、
前記画像ドラムを所定の角速度で回転させる変速モータと、
長手方向軸から等距離にあるロール表面を有して、当該長手方向軸のまわりに所定の角速度で回転するトランスフィックスロールであって、前記画像ドラムの前記長手方向軸は当該トランスフィックスロールの前記長手方向軸に対して実質的に平行であり、前記ドラム表面は前記ロール表面と接触している、トランスフィックスロールと、
前記画像ドラムが前記トランスフィックスロールと接触するところに形成されたトランスフィックスニップであって、当該トランスフィックスニップに入る媒体が前記角速度の速度遷移を引き起こす、トランスフィックスニップと、
媒体を媒体経路に沿ってプロセス方向に移動させる媒体搬送装置であって、前記媒体を前記トランスフィックスニップまで搬送する、媒体搬送装置と、
前記媒体の厚さを測定して厚さ出力信号を送る手段と、
前記媒体のゆがみを測定して、ゆがみ出力信号を送るゆがみセンサと、
モータ速度設定点と、前記モータ速度設定点をねらって前記変速モータを制御するためのコントローラ出力信号とを有するコントローラと、
を含み、
前記厚さ出力信号と前記ゆがみ出力信号とに基づき前記コントローラ出力信号が調節される、速度遷移を低減するシステム。
【請求項２】
前記トランスフィックスニップに入る媒体を検出する媒体センサをさらに含む、請求項１に記載の速度遷移を低減するシステム。
【請求項３】
オン状態とオフ状態とを有する電子的スイッチング制御手段をさらに含み、前記電子的スイッチング制御手段が前記オン状態にあるときには、前記厚さ出力信号および前記ゆがみ出力信号は前記コントローラ出力信号を調節し、前記スイッチが前記オフ状態にあるときには、前記厚さ出力信号および前記ゆがみ出力信号は前記コントローラ出力信号を調節しない、請求項２に記載の速度遷移を低減するシステム。
【請求項４】
前記厚さ信号が、異なる厚さの媒体に対する媒体厚さトルクプロファイルと比較される、請求項１に記載の速度遷移を低減するシステム。
【請求項５】
前記ゆがみ信号が、異なるゆがみの媒体に対する媒体ゆがみトルクプロファイルと比較される、請求項１に記載の速度遷移を低減するシステム。
【請求項６】
前記変速モータが、前記角速度を測定してモータ速度出力信号を送る速度センサを含み、前記モータ速度出力信号に基づいて前記モータトルクが調節される、請求項１に記載の速度遷移を低減するシステム。
【請求項７】
前記媒体の前記厚さが変化するとき、前記厚さ出力信号と前記ゆがみ出力信号とに基づき前記コントローラ出力信号を調節することにより、前記画像ドラムの前記角速度を、前記モータ速度設定点に保つ、請求項１に記載の速度遷移を低減するシステム。
【請求項８】
異なる厚さの媒体に対する媒体厚さトルクプロファイルと、異なるゆがみの媒体に対する媒体ゆがみトルクプロファイルと、をさらに含み、前記厚さ出力信号が当該媒体厚さトルクプロファイルと比較されて媒体厚さトルク値が提供され、前記ゆがみ出力信号が当該媒体ゆがみトルクプロファイルと比較されて媒体ゆがみトルク値が提供され、前記媒体厚さトルク値と前記媒体ゆがみトルク値とを使用して、前記変速モータに対するトルク補正信号を計算する、請求項１に記載の速度遷移を低減するシステム。
【請求項９】
前記速度遷移補正が、前記角速度における前記速度遷移の±１０％以内に等しい、請求項８に記載の速度遷移を低減するシステム。
【請求項１０】
前記トランスフィックスニップが、５０μｍから２ｍｍの厚さを有する媒体を受け入れることができる、請求項１に記載の速度遷移を低減するシステム。
【請求項１１】
転写ニップに入る媒体が引き起こす印刷システム内の速度遷移を低減するシステムであって、
長手方向軸から等距離にあるドラム表面を有して、前記長手方向軸のまわりに回転する画像ドラムと、
前記画像ドラムを所定の角速度で回転させる変速モータと、
長手方向軸から等距離にあるロール表面を有して、当該長手方向軸のまわりに所定の角速度で回転するトランスフィックスロールであって、前記画像ドラムの前記長手方向軸は当該トランスフィックスロールの前記長手方向軸に対して平行であり、前記ドラム表面は前記ロール表面と接触している、トランスフィックスロールと、
前記画像ドラムが前記トランスフィックスロールと接触するところに形成されたトランスフィックスニップであって、当該トランスフィックスニップに入る媒体が前記角速度の速度遷移を引き起こす、トランスフィックスニップと、
媒体を媒体経路に沿ってプロセス方向に移動させる媒体搬送装置であって、前記媒体を前記トランスフィックスニップまで搬送する、媒体搬送装置と、
前記トランスフィックスニップに入る媒体を検出する媒体センサと、
前記媒体の厚さを検出して厚さ出力信号を送る手段と、
前記媒体のゆがみを測定して、ゆがみ出力信号を送るゆがみセンサと、
モータ速度設定点と、前記モータ速度設定点をねらって前記変速モータを制御するためのコントローラ出力信号とを有するコントローラと、
オン状態とオフ状態とを有する電子的スイッチング制御手段であって、前記電子的スイッチング制御手段が前記オン状態にあるときには、前記厚さ出力信号および前記ゆがみ出力信号は前記コントローラ出力信号を調節して、前記スイッチが前記オフ状態にあるときには、前記厚さ出力信号および前記ゆがみ出力信号は前記コントローラ出力信号を調節しない、電子的スイッチング制御手段と、
前記厚さ出力信号と前記ゆがみ出力信号とに基づき前記コントローラ出力信号が調節される、速度遷移を低減するシステム。
【請求項１２】
前記変速モータが、前記角速度を測定してモータ速度出力信号を送る速度センサを含み、前記モータ速度出力信号に基づいて前記モータ速度設定点が調節される、請求項１１に記載の速度遷移を低減するシステム。
【請求項１３】
異なる厚さの媒体に対する媒体厚さトルクプロファイルと、異なるゆがみの媒体に対する媒体ゆがみトルクプロファイルと、をさらに含み、前記厚さ出力信号が当該媒体厚さトルクプロファイルと比較されて媒体厚さトルク値が提供され、前記ゆがみ出力信号が当該媒体ゆがみトルクプロファイルと比較されて媒体ゆがみトルク値が提供され、前記媒体厚さトルク値と前記媒体ゆがみトルク値とを使用して、前記変速モータの速度を上げるようにトルク補正信号を計算する、請求項１１に記載の速度遷移を低減するシステム。
【請求項１４】
前記厚さ出力信号と前記ゆがみ出力信号とによる、前記角速度の調節は、前記角速度における前記速度遷移の±１０％以内である、請求項１１に記載の速度遷移を低減するシステム。
【請求項１５】
前記媒体の前記厚さが変化するとき、前記厚さ出力信号と前記ゆがみ出力信号とに基づき前記画像ドラムの前記角速度を調節することにより、前記画像ドラムの前記角速度を、前記モータ速度設定点に保つ、請求項１１に記載の速度遷移を低減するシステム。
【請求項１６】
前記トランスフィックスニップが、５０μｍから２ｍｍの厚さを有する媒体を受け入れることができる、請求項１１に記載の速度遷移を低減するシステム。
【請求項１７】
前記速度遷移補正信号が、前記角速度における前記速度遷移の±１０％以内である、請求項１１に記載の速度遷移を低減するシステム。
【請求項１８】
転写ニップに入る媒体が引き起こす印刷システム内の速度遷移を低減するシステムであって、
長手方向軸から等距離にあるドラム表面を有して、前記長手方向軸のまわりに回転する画像ドラムと、
前記画像ドラムを所定の角速度で回転させる変速モータと、
長手方向軸から等距離にあるロール表面を有して、当該長手方向軸のまわりに所定の角速度で回転するトランスフィックスロールであって、前記画像ドラムの前記長手方向軸は当該トランスフィックスロールの前記長手方向軸に対して平行であり、前記ドラム表面は前記ロール表面と接触している、トランスフィックスロールと、
前記画像ドラムが前記トランスフィックスロールと接触するところに形成されたトランスフィックスニップであって、当該トランスフィックスニップに入る媒体が前記角速度の速度遷移を引き起こす、トランスフィックスニップと、
媒体を媒体経路に沿ってプロセス方向に移動させる媒体搬送装置であって、前記媒体を前記トランスフィックスニップまで搬送する、媒体搬送装置と、
前記トランスフィックスニップに入る媒体を検出する媒体センサと、
前記媒体の厚さを検出して厚さ出力信号を送る手段と、
前記媒体のゆがみを測定して、ゆがみ出力信号を送るゆがみセンサと、
前記変速モータの速度を測定して、モータ速度出力信号を送る速度センサと、
モータ速度設定点と、前記モータ速度設定点をねらって前記変速モータを制御するためのコントローラ出力信号とを有するコントローラと、
異なる厚さの媒体に対する媒体厚さトルクプロファイルであって、前記厚さ出力信号が当該媒体厚さトルクプロファイルと比較されて媒体厚さトルク値が提供される、媒体厚さトルクプロファイルと、
異なるゆがみの媒体に対する媒体ゆがみトルクプロファイルであって、前記ゆがみ出力信号が当該媒体ゆがみトルクプロファイルと比較されて媒体ゆがみトルク値が提供される、媒体ゆがみトルクプロファイルと、
オン状態とオフ状態とを有する電子的スイッチング制御手段であって、前記電子的スイッチング制御手段が前記オン状態にあるときには、前記厚さ出力信号および前記ゆがみ出力信号は前記コントローラ出力信号を調節し、前記スイッチが前記オフ状態にあるときには、前記厚さ出力信号および前記ゆがみ出力信号は前記コントローラ出力信号を調節しない、電子的スイッチング制御手段と、
を含み、
前記媒体厚さトルク値と前記媒体ゆがみトルク値とを使用して、前記変速モータの速度を上げるように速度遷移補正信号を計算する、速度遷移を低減するシステム。
【請求項１９】
前記モータ速度出力信号に基づいて前記モータ速度設定点を調節する、請求項１８に記載の速度遷移を低減するシステム。